(57)【要約】【課題】ボックスねじを締め付けたときの配線器具の沈み込みを抑えて見栄えを良くする。【解決手段】プレート枠本体１の各側片３ａ〜３ｄに、ボックスねじ挿通孔６ａ〜６ｄと開口部２の間における各ボックスねじ挿通孔６ａ〜６ｄの近傍の部位にプレート枠本体１を前後に貫通するスリット１２〜１４がそれぞれ設けてある。したがって、ボックスねじ４０の締め付けに起因したプレート枠Ａの変形がこれらのスリット１２…で遮られ、ボックスねじ挿通孔６ａ，６ｂ周辺部位から係止溝４の形成されている部位や撓み片９の近傍にまで及び難くなる。その結果、従来例に比較してボックスねじ４０を締め付けたときの配線器具Ｃの沈み込みを抑えて見栄えを良くすることができる。【選択図】　　　　図１
2004032894.tif 000002
【特許請求の範囲】
【請求項１】
埋込型の配線器具の機能面を露出させる開口部を有するとともに開口部を挟んで対向する部位に配線器具を取り付けるための取付手段を具備して造営面に設けられた埋込孔の開口面側を覆う合成樹脂製のプレート枠と、配線器具の機能面を露出させる開口窓を有するとともにプレート枠に取着されてプレート枠の前面を覆う化粧プレートとを備え、埋込孔内に配設される埋込ボックスにプレート枠を取り付けるためのボックスねじが挿通されるボックスねじ挿通孔をプレート枠の開口部を挟んで対向する部位に設けるとともに、プレート枠のボックスねじ挿通孔と開口部の間における各ボックスねじ挿通孔近傍の部位にプレート枠を前後に貫通するスリットをそれぞれ設けたことを特徴とする配線器具用プレート。
【請求項２】
プレート枠を補強する補強部をボックスねじ挿通孔と開口部の間に設けるとともに、この補強部とボックスねじ挿通孔の間にスリットを設けたことを特徴とする請求項１記載の配線器具用プレート。
【請求項３】
取付手段は、プレート枠の開口部の周縁に設けられて配線器具の一方の側面に突出した係止爪を係止する係止溝と、係止溝に対向するプレート枠の開口部の周縁より後方へ突設された一対の架橋片と、配線器具の他方の側面に突出した係止爪を係止する係止段部を有し一対の架橋片間に撓み自在に設けられる撓み片と、プレート枠に設けられ撓み片をプレート枠の前面側から操作するための操作窓とからなることを特徴とする請求項１又は２記載の配線器具用プレート。
【請求項４】
スリットと操作窓を連通させたことを特徴とする請求項３記載の配線器具用プレート。
【発明の詳細な説明】
【０００１】
【発明の属する技術分野】
本発明は、壁面等の造営面に設けた埋込孔に配線器具を配設するための配線器具用プレートに関するものである。
【０００２】
【従来の技術】
従来、図７に示すように壁面等の造営面Ｗに埋込ボックス（スイッチボックス）４１を埋設し、コンセント等の配線器具Ｃが着脱自在に取り付けられるプレート枠Ａ’をボックスねじ４０によって埋込ボックス４１に取り付け、さらにプレート枠Ａ’の前面に化粧プレートＢ’を取着することで配線器具Ｃを壁等に見栄え良く埋込配設するようにした配線器具用プレートが提供されている。
【０００３】
プレート枠Ａ’を構成するプレート枠本体１は、図６に示すように四隅にアールを付けた略矩形枠状の合成樹脂成型品からなり、その中央部にはコンセントやスイッチ等の配線器具Ｃの器体６０の機能面（スイッチの操作体が設けられた面やコンセントの差込み口が設けられた面）を前面側へ露出させるために矩形の開口部２が設けてある。開口部２の下方に位置するプレート枠本体１の側片（以下、「下側片」と呼ぶ。）３ｂには配線器具Ｃの係止爪６２の一方が挿入係止される係止溝５０ａを有した撓み可能な撓み片５０が設けられ、開口部２の上方に位置する側片（以下、「上側片」と呼ぶ。）３ａには配線器具Ｃの他方の係止爪６２が挿入係止される係止溝４が設けられている。
【０００４】
プレート枠本体１の下側片３ｂは、内側部位５１と外側部位５２とが隙間５３を介して平行に一体に形成されていて、この両部位５１，５２の間の隙間５３の奥端で両端を開口部２の左右両側に位置する両側片３ｃ，３ｄと一体に連結して可撓性を有する上記撓み片５０が形成してある。また外側部位５２には長孔状の溝５４が形成されており、溝５４の内側の部分を薄肉とすることで撓み片５０を横方向に撓み易くしている。
【０００５】
また、プレート枠本体１の開口部２を囲む４つの側片３ａ〜３ｄには各々凹所５が形成してあり、各凹所５にはプレート枠Ａ’を埋込ボックス４１に取り付けるためのボックスねじ４０を挿通する長孔状のボックスねじ挿通孔６ａ〜６ｄが設けてある。すなわち、開口部２を挟んで対向する上下側片３ａ，３ｂあるいは左右側片３ｃ，３ｄの凹所５に設けられたボックスねじ挿通孔６ａ〜６ｄに挿通したボックスねじ４０を埋込ボックス４１の舌片４１ａに形成されているねじ孔に螺合して締め付けることによってプレート枠Ａ’を埋込ボックス４１に取り付け、さらにプレート枠Ａ’の前面に化粧プレートＢ’を取着することで配線器具Ｃを壁等に見栄え良く埋込配設することができる。
【０００６】
【発明が解決しようとする課題】
ところで上記従来例においては、プレート枠Ａ’を埋込ボックスに取り付けるためにボックスねじ挿通孔６ａ〜６ｄに挿通したボックスねじ４０を締め付けたとき、図７に示すように、そのボックスねじ挿通孔６ａ〜６ｄが設けられている上下側片３ａ，３ｂ（あるいは左右側片３ｃ，３ｄ）が後方に反る形で変形し、ボックスねじ４０の締め付けに起因したプレート枠Ａ’の変形が係止溝４や撓み片５０にまで及んでしまい、配線器具Ｃが化粧プレートＢ’の表面よりも後方へ沈み込んでしまって見栄えが良くないという問題があった（図７の点線参照）。
【０００７】
本発明は上記問題に鑑みて為されたものであり、その目的は、ボックスねじを締め付けたときの配線器具の沈み込みを抑えて見栄えを良くすることができる配線器具用プレートを提供することにある。
【０００８】
【課題を解決するための手段】
請求項１の発明は、上記目的を達成するために、埋込型の配線器具の機能面を露出させる開口部を有するとともに開口部を挟んで対向する部位に配線器具を取り付けるための取付手段を具備して造営面に設けられた埋込孔の開口面側を覆う合成樹脂製のプレート枠と、配線器具の機能面を露出させる開口窓を有するとともにプレート枠に取着されてプレート枠の前面を覆う化粧プレートとを備え、埋込孔内に配設される埋込ボックスにプレート枠を取り付けるためのボックスねじが挿通されるボックスねじ挿通孔をプレート枠の開口部を挟んで対向する部位に設けるとともに、プレート枠のボックスねじ挿通孔と開口部の間における各ボックスねじ挿通孔近傍の部位にプレート枠を前後に貫通するスリットをそれぞれ設けたことを特徴とする。
【０００９】
請求項２の発明は、請求項１の発明において、プレート枠を補強する補強部をボックスねじ挿通孔と開口部の間に設けるとともに、この補強部とボックスねじ挿通孔の間にスリットを設けたことを特徴とする。
【００１０】
請求項３の発明は、請求項１又は２の発明において、取付手段は、プレート枠の開口部の周縁に設けられて配線器具の一方の側面に突出した係止爪を係止する係止溝と、係止溝に対向するプレート枠の開口部の周縁より後方へ突設された一対の架橋片と、配線器具の他方の側面に突出した係止爪を係止する係止段部を有し一対の架橋片間に撓み自在に設けられる撓み片と、プレート枠に設けられ撓み片をプレート枠の前面側から操作するための操作窓とからなることを特徴とする。
【００１１】
請求項４の発明は、請求項３の発明において、スリットと操作窓を連通させたことを特徴とする。
【００１２】
【発明の実施の形態】
以下、図面を参照して本発明の実施形態を詳細に説明する。但し、本実施形態の基本的な構成は従来例と共通であるから、共通の構成要素には同一の符号を付して適宜説明を省略する。
【００１３】
図１に示すように、本実施形態の配線器具用プレートはプレート枠Ａと化粧プレートＢとで構成される。図２に示すように、プレート枠Ａのプレート枠本体１は従来例と同様に四隅にアールを付けた略矩形枠状の合成樹脂成型品からなり、中央部に配線器具Ｃの機能面を前面側へ露出する矩形の開口部２が設けてある。そして、開口部２の上下左右に位置する４つの側片３ａ〜３ｄの中央にはそれぞれ凹所５が設けられ、各凹所５内に長孔状のボックスねじ挿通孔６ａ〜６ｄがそれぞれ貫設されている。
【００１４】
上側片３ａには、開口部２に臨む側方及び前方に開放されて配線器具Ｃの係止爪６２の一方が挿入係止される一対の係止溝４が設けられている。また、上側片３ａの背面におけるボックスねじ挿通孔６ａと開口部２の間には、左右方向に延びた帯状の補強リブ７ａが後方に向けて突設されており、この補強リブ７ａで上側片３ａを補強している。なお、一対の係止溝４は補強リブ７ａの開口部２に臨む側面と上側片３ａの背面に跨って設けられている。
【００１５】
一方、下側片３ｂの背面におけるボックスねじ挿通孔６ｂと開口部２の間に、略三角形状の一対の架橋片８が後方に向けて突設されるとともに一対の架橋片８間に略凸字形の撓み片９が撓み自在に形成されている。なお、この撓み片９は、下側片３ｂの背面におけるボックスねじ挿通孔６ａと開口部２の間に後方に向けて突設された帯状の補強リブ７ｂと連続一体に形成されている。
【００１６】
撓み片９の中央突部９ａの両側には、配線器具Ｃの他方の係止爪６２が挿入係止される係止段部９ｂがそれぞれ設けてある。また下側片３ｂの撓み片９と対向する部位には、撓み片９を前面側に露出させる平面視略矩形の窓（以下、「操作窓」という）１０が前後方向に貫設されている。さらに、操作窓１０の中央突部９ａと対向する内周面中央には、中央突部９ａに向けて突出する突部１０ａが形成されている。
【００１７】
一方、左側片３ｃ並びに右側片３ｄの背面におけるボックスねじ挿通孔６ｃ，６ｄと開口部２の間には、それぞれ後方に向けて突出する帯状の補強リブ７ｃ，７ｄが上側片３ａ及び下側片３ｂの補強リブ７ａ，７ｂと連続一体に形成されている。また、プレート枠本体１の四隅には、化粧プレートＢのプレート本体３０から後方へ突設されている係止突起３３を挿入係止する化粧プレート係止孔１１が設けてある。
【００１８】
ここで、プレート枠本体１への配線器具Ｃの着脱操作について説明する。まず配線器具Ｃをプレート枠本体１に取り付けるには、配線器具Ｃの一方の係止爪６２を上側片３ａの係止溝４にそれぞれ挿入係止し、配線器具Ｃの他方の係止爪６２を、撓み片９を外側に撓ませながら前方へ押接し、係止爪６２が係止段部９ｂを乗り越えて係止した位置で、配線器具Ｃがプレート枠本体１に取り付けられることになる。また、配線器具Ｃをプレート枠本体１から取り外す場合には、撓み片の中央突部９ａと操作窓１０の突部１０ａの間に前方よりドライバ等の工具Ｄの先端を挿入してこじることにより、撓み片９を外側へ撓ませて係止段部９ｂと係止爪６２との係止を外せばよい。
【００１９】
一方、化粧プレートＢのプレート本体３０は、図３に示すように絶縁性を有する合成樹脂により、プレート枠Ａの前面を覆う矩形の主部３１と、主部３１の全周縁から背面側に突出する側壁３２とを一体に形成した略箱形としてある。上記係止突起３３は主部３１の背面側の四隅に突設してある。また主部３１の略中央には、プレート枠Ａに取り付けた配線器具Ｃの機能面を露出する開口窓３１ａが設けてある。
【００２０】
プレート本体３０下側の側壁３２には一対の切欠部３４が設けてあり、この切欠部３４に治具（ドライバの先端等）を差し込んでプレート本体３０に前面側への力を加えることにより、プレート本体３０の係止突起３３とプレート枠本体１の化粧プレート係止孔１１との係止を解除し、化粧プレートＢをプレート枠Ａから取り外すことができるようにしてある。ここで、プレート枠本体１の下側片３ｂの切欠部３４に対応する位置には内側へ窪んだ逃がし部１６が設けてあり、切欠部３４に差し込まれた治具を逃がすことで奥まで挿入でき、化粧プレートＢを取り外す際に力が加え易くしてある。さらに、逃がし部１６の背面側端部からは薄肉のリブ１７が、化粧プレートＢの切欠部３４から突出しない程度まで延設してある（図２参照）。すなわち、切欠部３４に差し込んだ治具に造営面に当接する部分を支点として力を加えることで造営面に傷が付く虞があるが、リブ１７を設けることで切欠部３４に差し込んだ治具がリブ１７に当接することになり、化粧プレートＢをプレート枠Ａから取り外す際に治具によって造営面に傷が付くのを防ぐことができる。
【００２１】
またプレート本体３０の背面側には、図３（ｃ）に示すように規制リブ３５が開口窓３１ａの下辺と平行に後方へ突設されている。この規制リブ３５は、化粧プレートＢがプレート枠Ａに取着されたときにプレート枠本体１の下側片３ｂに設けられているスリット１４（後述する）に挿通されて下方より撓み片９に当接することになり、これによってプレート枠Ａの撓み片９の動き（撓み）が規制されることになる。その結果、例えば配線器具Ｃとしてコンセントを使用しているときにコンセントに差し込まれたプラグを異常に大きな力で引き抜く等の衝撃が加えられた場合でも、上記の如く撓み片９の動きが規制されているために配線器具Ｃの係止爪６２とプレート枠Ａの係止溝４及び係止段部９ｂとの係止が外れ難くなるものである。
【００２２】
ところで、プレート枠本体１の上側片３ａにおけるボックスねじ挿通孔６ａの側方に長円形の貫通孔１８が設けてあり、この貫通孔１８に嵌合する嵌合突起３６がプレート本体３０の主部３１の背面に突設されている。すなわち、化粧プレートＢは嵌合突起３６が貫通孔１８に嵌合される向きにのみプレート枠Ａに取り付けることができ、プレート枠Ａに対して化粧プレートＢが誤った向きに取り付けられるのを防止している。
【００２３】
次に、本発明の要旨の部分について説明する。図１及び図２に示すように、プレート枠本体１の各側片３ａ〜３ｄに、ボックスねじ挿通孔６ａ〜６ｄと開口部２の間における各ボックスねじ挿通孔６ａ〜６ｄの近傍の部位にプレート枠本体１を前後に貫通するスリット１２〜１４がそれぞれ設けてある。上側片３ａのスリット１２は補強リブ７ａとボックスねじ挿通孔６ａの間に補強リブ７ａと平行に設けられている。同じく、左側片３ｃ及び右側片３ｄのスリット１３も補強リブ７ｃ，７ｄとボックスねじ挿通孔６ｃ，６ｄの間にそれぞれ補強リブ７ｃ，７ｄと平行に設けられている。また、下側片３ｂのスリット１４は操作窓１０と連通するように連続一体に形成されている。なお、各側片３ａ〜３ｄの連結部位にもプレート枠本体１を前後に貫通するスリット１５が、スリット１３と同一直線上に並ぶように設けられている。
【００２４】
而して、図４に示すように埋込ボックス４１にプレート枠Ａを取り付ける際に、上側片３ａ及び下側片３ｂのボックスねじ挿通孔６ａ，６ｂに挿通したボックスねじ４０を締め付けることでボックスねじ挿通孔６ａ，６ｂ周辺の部位が多少変形したとしても（図４における点線イ参照）、ボックスねじ挿通孔６ａ，６ｂと開口部２の間における各ボックスねじ挿通孔６ａ，６ｂ近傍の部位にスリット１２，１４をそれぞれ設けているため、ボックスねじ４０の締め付けに起因したプレート枠Ａの変形がこれらのスリット１２，１４で遮られ、ボックスねじ挿通孔６ａ，６ｂ周辺部位から係止溝４の形成されている部位や撓み片９の近傍にまで及び難くなる。また、配線器具Ｃの係止爪６２が係止する係止段部９ｂを具備した撓み片９を、プレート枠本体１の下側片３ｂに設けられた一対の架橋片８間に撓み自在に形成しているので、このことによってもボックスねじ４０の締め付けに起因した上記プレート枠Ａの変形が、架橋片８間に設けられてボックスねじ挿通孔６ｂ周辺の部位から離間されている撓み片９にまでは及び難くなる。その結果、従来例に比較してボックスねじ４０を締め付けたときの配線器具Ｃの沈み込みを抑えて見栄えを良くすることができる（図４における点線ロ参照）。
【００２５】
また、本実施形態においては、各側片３ａ〜３ｄの背面に補強リブ７ａ〜７ｄを設けるとともに、補強リブ７ａ〜７ｄとボックスねじ挿通孔６ａ〜６ｄの間にスリット１２〜１４を設けているから、プレート枠Ａの開口部２とスリット１２〜１４の間の部位を補強リブ７ａ〜７ｄで補強することによりボックスねじ挿通孔６ａ〜６ｄ周辺部位の変形の影響を係止溝４の形成されている部位や撓み片９の近傍に一層及び難くして配線器具Ｃの沈み込みをさらに確実に抑えることができるようにしてある。なお、図５に示すように操作窓１０と連通するスリット１４の寸法を操作窓１０よりも大きくすれば、ボックスねじ挿通孔６ｂ周辺部位の変形の影響を架橋片８及び撓み片９に一層及び難くして配線器具Ｃの沈み込みをさらに確実に防止することができる。
【００２６】
【発明の効果】
請求項１の発明は、埋込型の配線器具の機能面を露出させる開口部を有するとともに開口部を挟んで対向する部位に配線器具を取り付けるための取付手段を具備して造営面に設けられた埋込孔の開口面側を覆う合成樹脂製のプレート枠と、配線器具の機能面を露出させる開口窓を有するとともにプレート枠に取着されてプレート枠の前面を覆う化粧プレートとを備え、埋込孔内に配設される埋込ボックスにプレート枠を取り付けるためのボックスねじが挿通されるボックスねじ挿通孔をプレート枠の開口部を挟んで対向する部位に設けるとともに、プレート枠のボックスねじ挿通孔と開口部の間における各ボックスねじ挿通孔近傍の部位にプレート枠を前後に貫通するスリットをそれぞれ設けたことを特徴とし、ボックスねじ挿通孔に挿通したボックスねじを締め付けたときにボックスねじ挿通孔周辺の部位が多少変形するが、ボックスねじ挿通孔と開口部の間における各ボックスねじ挿通孔近傍の部位にスリットをそれぞれ設けているため、ボックスねじの締め付けに起因したプレート枠の変形がボックスねじ挿通孔周辺部位から取付手段の近傍にまで及び難くなる。その結果、従来例に比較してボックスねじを締め付けたときの配線器具の沈み込みを抑えて見栄えを良くすることができる。
【００２７】
請求項２の発明は、請求項１の発明において、プレート枠を補強する補強部をボックスねじ挿通孔と開口部の間に設けるとともに、この補強部とボックスねじ挿通孔の間にスリットを設けたことを特徴とし、プレート枠の開口部とスリットの間の部位を補強部で補強することによりボックスねじ挿通孔周辺部位の変形の影響が取付手段近傍に一層及び難くなって配線器具の沈み込みをさらに確実に抑えることができる。
【００２８】
請求項３の発明は、請求項１又は２の発明において、取付手段は、プレート枠の開口部の周縁に設けられて配線器具の一方の側面に突出した係止爪を係止する係止溝と、係止溝に対向するプレート枠の開口部の周縁より後方へ突設された一対の架橋片と、配線器具の他方の側面に突出した係止爪を係止する係止段部を有し一対の架橋片間に撓み自在に設けられる撓み片と、プレート枠に設けられ撓み片をプレート枠の前面側から操作するための操作窓とからなることを特徴とし、ボックスねじ挿通孔に挿通したボックスねじを締め付けたときにボックスねじ挿通孔周辺の部位が多少変形しても、ボックスねじの締め付けに起因したプレート枠の変形が、架橋片間に設けられてボックスねじ挿通孔周辺の部位から離間されている撓み片にまでは及び難いから、ボックスねじを締め付けたときの配線器具の沈み込みをさらに抑えることができる。
【００２９】
請求項４の発明は、請求項３の発明において、スリットと操作窓を連通させたことを特徴とし、ボックスねじ挿通孔周辺部位の変形の影響が架橋片及び撓み片にさらに及び難くなって配線器具の沈み込みを確実に抑えることができる。
【図面の簡単な説明】
【図１】本発明の実施形態を示す分解斜視図である。
【図２】同上におけるプレート枠を示し、（ａ）は正面図、（ｂ）は右側面図、（ｃ）は背面図、（ｄ）は上側面図である。
【図３】同上における化粧プレートを示し、（ａ）は正面図、（ｂ）は右側面図、（ｃ）は背面図、（ｄ）は上側面図である。
【図４】同上の埋込ボックスに取り付けて施工した状態を示す断面図である。
【図５】同上における他のプレート枠を示す平面図である。
【図６】従来例を示す分解斜視図である。
【図７】同上の埋込ボックスに取り付けて施工した状態を示す断面図である。
【符号の説明】
Ａ　プレート枠
Ｂ　化粧プレート
１　プレート枠本体
２　開口部
３ａ〜３ｄ　側片
４　係止溝
６ａ〜６ｄ　ボックスねじ挿通孔
１２〜１４　スリット
４０　ボックスねじ
【図１】
2004032894.tif 000003
【図２】
2004032894.tif 000004
【図３】
2004032894.tif 000005
【図４】
2004032894.tif 000006
【図５】
2004032894.tif 000007
【図６】
2004032894.tif 000008
【図７】
2004032894.tif 000009